(57)【特許請求の範囲】
【請求項１】
磁性体であるコアと、このコアに巻回されたコイルと、これらコイルおよび前記コアを収納する合成樹脂製のコアケースとを備え、電子機器の機器ケース内に設置されるアンテナ装置において、
前記コアは、
前記コイルが巻回されたコアの一部部分から構成されたコイル巻回部分と、
前記コイルが巻回されない部分であり、前記コイル巻回部分と磁気的に連結されて前記コイルの両端から前記コアの両端外方向に突出し、かつ、該コアの端部に磁気的に連結するように取り付けられた箔体から構成されたコイル非巻回部分とから構成され、
この各コイル非巻回部分のうち、少なくとも一方のコイル非巻回部分は、前記機器ケースの表面側から見て前記機器ケースの内周に沿って延在するように根元側から先端側に向けて弧状に湾曲しており、
前記箔体は、前記コアケースの端部側面に設けられた切り込みに挿入されて取り付けられていることを特徴とするアンテナ装置。
【請求項２】
前記コイル巻回部分及び前記コイル非巻回部分はそれぞれコアの一部によって構成されていることを特徴とする請求項１に記載のアンテナ装置。
【請求項３】
前記箔体はアモルファス金属からなることを特徴とする請求項１に記載のアンテナ装置。
【請求項４】
請求項１に記載のアンテナ装置と、
このアンテナ装置を収納した機器ケースと、
を備えたことを特徴とする電子機器。
【請求項５】
前記機器ケースは、開口部を備え、
前記機器ケースは、装飾板が内部に配置され、
前記コア及び前記コイルは、前記装飾板を挟んで前記開口部とは反対側の位置に配置されていることを特徴とする請求項４に記載の電子機器。
【請求項６】
請求項１に記載のアンテナ装置と、
このアンテナ装置を収納した機器ケースとを備え、
前記機器ケースは開口部を備え、
前記機器ケースは装飾板が内部に配置され、
前記コア及び前記コイルは、前記装飾板を挟んで前記開口部とは反対側の位置に配置され、
前記箔体は、前記装飾板を挟んで前記開口部とは反対側の位置と、前記コアの前記開口部寄りの位置とのうち、前記コアの前記開口部寄りの位置に取り付けられていることを特徴とする電子機器。
【発明の詳細な説明】
【技術分野】
【０００１】
本発明は、アンテナ装置、及びアンテナ装置を備える電子機器に関する。
【背景技術】
【０００２】
電子機器の一種として、時刻情報を含む標準電波を受信して自動的に現在時刻を修正する電波時計が知られている。このような電波時計において標準電波を受信するアンテナとしては、磁性材料であるアモルファス金属やフェライト等でなるコアにコイルが巻回されてなるバーアンテナが多く用いられている。
【０００３】
電波時計は、腕時計型と置き時計型とに大別されるが、腕時計型の場合、限られた小さな内容積に各種部品を収納する必要があるため、アンテナの寸法制約が厳しい。また、近年では、高級感を演出するために時計ケースをステンレスやチタン等で金属形成する場合があるが、この場合、金属の影響によりアンテナの受信感度が著しく劣化するという問題があり、アンテナの受信感度の更なる改善が求められている。
【０００４】
そこで、近年、コイルと、このコイルの軸に沿って設けられた、磁性材料からなる磁心を備え、磁心の少なくとも一端付近が他の部分より大きい断面積を有するアンテナ装置が提案されている（例えば、特許文献１参照）。
【特許文献１】特開２００４−２７４６０９号公報の図１、図２及び図４
【発明の開示】
【発明が解決しようとする課題】
【０００５】
しかしながら、上述した特許文献１のアンテナ装置では、磁心の一端付近が他の部分より大きい断面積を有するものとなっているため、女性用の腕時計のように機器ケース自体が小さい電波時計には適用が難しいという問題がある。
また、時計ケースがステンレスやチタン等で金属形成された腕時計にあっては、磁心の一端付近が他の部分より大きい断面積を有していても、該部分がステンレスやチタン等で金属形成された時計ケースで被覆されるため、受信感度の向上が困難である。
本発明は、上記課題に鑑みてなされたものであり、小型の機器ケースに簡単に設置することができ、かつ、受信感度を向上させることができるアンテナ装置及びこのアンテナ装置を備える電子機器の実現を目的としている。
【課題を解決するための手段】
【０００６】
請求項１に記載のアンテナ装置は、
磁性体であるコア（例えば、図３のコア３１）と、このコアに巻回されたコイル（例えば、図３のコイル３７）と、これらコイルおよび前記コアを収納する合成樹脂製のコアケース（例えば、図１０のコアケース４１）とを備え、電子機器（例えば、図１の腕時計１）の機器ケース（例えば、図１の時計ケース１０）内に設置されるアンテナ装置において、
前記コアは、
前記コイルが巻回されたコアの一部部分から構成されたコイル巻回部分と、
前記コイルが巻回されない部分であり、前記コイル巻回部分と磁気的に連結されて前記コイルの両端から前記コアの両端外方向に突出し、かつ、該コアの端部に磁気的に連結するように取り付けられた箔体から構成されたコイル非巻回部分とから構成され、
この各コイル非巻回部分のうち、少なくとも一方のコイル非巻回部分は、前記機器ケースの表面側から見て前記機器ケースの内周に沿って延在するように根元側から先端側に向けて弧状に湾曲しており、
前記箔体は、前記コアケースの端部側面に設けられた切り込みに挿入されて取り付けられていることを特徴とする。
【０００７】
請求項２に記載のアンテナ装置は、請求項１に記載のアンテナ装置において、前記コイル巻回部分及び前記コイル非巻回部分はそれぞれコア（例えば、図１２のコア３１）の一部によって構成されていることを特徴とする。
【００１０】
請求項３に記載のアンテナ装置は、請求項１に記載のアンテナ装置において、前記箔体はアモルファス金属からなることを特徴とする。
【００１１】
請求項４に記載の電子機器（例えば、図１の腕時計１）は、
請求項１に記載のアンテナ装置と、
このアンテナ装置を収納した機器ケース（例えば、図１及び図２の時計ケース１０）と、を備えたことを特徴とする。
【００１２】
請求項５に記載の電子機器は、請求項１に記載の電子機器において、
前記機器ケース（例えば、図１及び図２の時計ケース１０）は開口部を備え、
前記機器ケースは、装飾板（例えば、図２の文字板）が内部に配置され、
前記コア（例えば、図３のコア３１）及び前記コイル（例えば、図３のコイル３７）は、前記装飾板を挟んで前記開口部とは反対側の位置に配置されていることを特徴とする。
【００１３】
請求項６に記載の電子機器は、
請求項１に記載のアンテナ装置と、
このアンテナ装置を収納した機器ケース（例えば、図１及び図２の時計ケース１０）とを備え、
前記機器ケースは開口部を備え、
前記機器ケースは装飾板（例えば、図２の文字板）が内部に配置され、
前記コア（例えば、図３のコア３１）及び前記コイル（例えば、図３のコイル３７）は、前記装飾板を挟んで前記開口部とは反対側の位置に配置され、
前記箔体は、前記装飾板を挟んで前記開口部とは反対側の位置と、前記コアの前記開口部寄りの位置とのうち、前記コアの前記開口部寄りの位置に取り付けられていることを特徴とする。
【発明の効果】
【００２３】
請求項１に記載のアンテナ装置によれば、機器ケース内のデッドスペースが効果的に利用でき、小型の機器ケースに簡単に設置することができる。また、磁性体であるコアのコイル非巻回部分に磁束が引き付けられ、磁性体であるコアのコイル巻回部分を通過する磁束が増大することから、アンテナの受信感度が向上する。また、機器ケース内の中央部に集中する多くの部品の組立てに支障が生ずることが少ない。
【００２４】
請求項１に記載のアンテナ装置によれば、更に、コアに箔体を取り付けるといった簡易な構造であるため、従来のコアとコイルとからなるバーアンテナそのものの構成に手を加えることなく、容易に電波の受信性能を向上させることが可能となる。
【００２６】
請求項１に記載のアンテナ装置によれば、そればかりでなく、コアが合成樹脂製のコアケースに収納され、このコアケースの端部側面に設けられた切り込みに箔体が挿入されて取り付けられているので、コアケースの切り込みに箔体を容易に取り付けることができる。また、コアケースは合成樹脂製であるので、電波の受信を妨げることがない。
【００２７】
請求項３に記載のアンテナ装置によれば、箔体はアモルファス金属からなる。アモルファス金属は可撓性を有するとともに強度が高いので、破れることなく薄膜を薄く形成できる。
【００２８】
請求項４に記載の電子機器によれば、請求項１に記載のアンテナ装置を備えているので、機器ケース内に設置されているアンテナ装置の受信感度の向上が図れることになる。
【００２９】
請求項５に記載の電子機器によれば、コア及びコイルは、装飾板を挟んで開口部とは反対側の位置に配置されているので、装飾板でアンテナ装置を覆い隠すことができる。
【発明を実施するための最良の形態】
【００４０】
以下、図面を参照して、本発明に好適な実施形態を説明する。
【００４１】
［第１実施形態］
先ず、この発明の第１実施形態を説明する。
図１は、この発明の第１実施形態における腕時計１の平面図であり、図２は、腕時計１のＩＩ−ＩＩ矢視断面図（１２時−６時断面図）である。
同図において、腕時計１は、時計モジュール２０等を内部に収納する時計ケース１０を備えている。時計ケース１０の外周部分であって６時及び１２時それぞれの位置には、腕時計をユーザの手首に装着するための時計バンド６０が取り付けられているとともに、時計ケース１０の外周側面には、腕時計１の各種機能の実行を指示するためのスイッチ１１が設けられている。
【００４２】
時計ケース１０は、ステンレスやチタン等の金属により環状の短柱形状に形成されている。従って、時計ケース１０は上下端（図２中、上下）が開口した形状となっている。また、時計ケース１０の６時及び１２時それぞれの位置の側方部分には、時計バンド６０を取り付けるための延出部１０a、１０aが形成されており、この延出部１０a、１０aには、時計バンド６０を取り付けるピンを通すための孔部１０a、１０aが形成されている。
【００４３】
時計ケース１０の上端部（図２中、上側）には、この上端部を塞ぐように時計ガラス１２がパッキン１３を介して嵌められている。一方、時計ケース１０の下端部（図２中、下側）には、この下端部を塞ぐように裏蓋１４がＯリング１５を介して取り付けられている。裏蓋１４は、ステンレスやチタン等の強度が強い金属により、厚みが薄いほぼ平板状に形成されている。
【００４４】
時計ケース１０の内部には時計モジュール２０が収納されている。この時計モジュール２０の上面に装飾板である文字板（時刻表示板）２１が配置されている。時計モジュール２０は、標準電波を受信するアンテナ３０Ａやアナログ指針機構、このアナログ指針機構等を接続してこれらを制御する回路基板（図示省略）を含んでいる。このうち、アンテナ３０Ａは、時計ケース１０内において、文字板２１を挟んで時計ガラス１２側の開口部とは反対側の位置、すなわち、裏蓋１４側の位置に配置されている。
【００４５】
アナログ指針機構は、文字板２１の中央部に形成された軸孔からその上方に伸びる指針軸２２aと、この指針軸２２aに取り付けられた時針や分針等の指針２２とを有し、指針２２を文字板２１の上方で運針させる。また、回路基板は、ＣＰＵ等の制御ＩＣと、発振回路を有して現在時刻を計時する計時回路と、アンテナ３０Ａによる受信信号を増幅・検波して標準電波に含まれるタイムコードを取り出す受信回路とを回路要素としている。制御ＩＣは、受信回路で取り出されたタイムコードに基づいて計時回路による現在時刻を修正し、修正した現在時刻を示すようにアナログ指針機構を制御して指針２２を運針させる処理等を行う。
【００４６】
図３（ａ）（ｂ）は、アンテナ装置３０Ａの構成を示す図である。同図（ａ）は、文字板２１側から見たアンテナ装置３０Ａの平面図であり、同図（ｂ）は、同図（ａ）のＩＩＩ−ＩＩＩ矢視断面図である。
同図によれば、アンテナ装置３０Ａは、コア３１と、コアケース３４と、コイル３７と、アモルファス薄膜３８とを備えて構成され、時計ケース１０の内周形状に沿うように、アンテナ両端部が同一方向に弧状に湾曲した形状をなしている。
【００４７】
コア３１は、アモルファス金属からなる磁性材料の薄板を複数枚積層してなる積層コアとなっている。このコア３１は、長さの短い短尺片３２と、この短尺片３２の長さよりも長い長尺片３３との２種類の薄板からなる。そして、複数枚の短尺片３２が積層され、その上に複数枚の長尺片３３が積層されてコア３１が構成されている。
【００４８】
コアケース３４は、合成樹脂で形成されており、ケース本体３５と、このケース本体３５に組み合う段違いのケース蓋３６とからなる。また、コアケース３４は、その内形状がコア３１の外形状にほぼ一致するように形成されており、コア３１を安定的に収納する。そして、このコアケース３４の中央部に、銅等の導線が巻回されてコイル３７が形成されている。
【００４９】
アモルファス薄膜３８は、アモルファス金属からなる長尺の箔状に形成された箔体であり、その厚さは、例えば１６μｍ程度である。アモルファス薄膜３８は、コイル非巻回部分となるコアケース３４の両端部３４a、３４aにそれぞれに、コア３１を延伸する方向（コアの軸方向外側）に向けて、接着剤等で貼り付けられている。同図では、アモルファス薄膜３８は、コアケース３４の両端部上面、即ちケース本体３５の両端部外面それぞれに貼り付けられている。尚、このアモルファス薄膜３８は、アモルファス金属ではなく、その透磁率がコア３１を形成する磁性材料の透磁率以下である他の磁性材料により形成されることとしても良い。
【００５０】
そして、このアンテナ装置３０Ａを標準電波による磁界（以下、「信号磁界」と称する。）中に置くと、当該信号磁界はアンテナ装置３０Ａに対して次のように作用する。尚、標準電波は波長が数ｋｍに及ぶ長波を使用しているため、その磁界成分の大きさはアンテナサイズの範囲において位置によって変わらない平行磁界とみなして良い。
【００５１】
信号磁界中に、コイル３７の軸線が磁界方向と平行となるようにコア３１を置くと、信号磁界による磁束（以下、「信号磁束」と称する。）は、周囲空間よりも比透磁率が高いコア３１に集中する。その結果、信号磁束とコイル３７が鎖交し、コイル３７には、レンツの法則(Lenz's law)に従い、コイル３７の内部での信号磁束の変化を妨げる向きに磁束を発生させるような誘導起電力Ｖが生じる。尚、信号磁界は交流磁界であり、信号磁束の大きさや向きは周期的に変化するので、誘導起電力Ｖは交流電力となり、発生磁束は、信号磁束の時間的な変化に追従してその大きさや向きが周期的に変化する交流磁界となる。
【００５２】
そして、コイル３７に生じた誘導起電力は、コイル３７に接続された受信回路（図示省略）によって検出される。受信回路には、受信したい標準電波の周波数（たとえば、４０ｋＨｚ又は、６０ｋＨｚ）に同調させるための同調コンデンサや損失抵抗が含まれている。この受信回路は、時計モジュール２０に含まれる回路基板上に実装されている。
【００５３】
一般的に、磁束は、磁気抵抗ができる限り小さい経路を取るように分布する。従って、信号磁束は、空気中より透磁率が高いアモルファス薄膜３８を通過し、或いはアモルファス薄膜３８に引き寄せられて、コア３１を通過する。つまり、アモルファス薄膜３８を設けた場合には、アモルファス薄膜３８を設けない場合に比較して、より多くの信号磁束がコア３１を通過することになる。その結果、コイル３７に生じる誘導起電力が高くなり、アンテナ装置３０Ａの受信感度が向上する。
また、アモルファス薄膜３８を設けると信号磁束がより流れやすくなるので実効透磁率が上昇し、共振周波数が低くなる。これは、実効透磁率が上昇することによりインダクタンスＬが増加することによる。
ｆ＝１／２Π（ＬＣ）１／２            （式１）
（式１）に示すように共振周波数ｆは、インダクタンスＬが増加すると小さくなる。
【００５４】
このように構成されるアンテナ装置３０Ａは、時計ケース１０内において、図４に示すように配置される。同図は、時計ケース１０内部におけるアンテナ装置３０Ａの配置を示す図であり、文字板２１側から見た腕時計１の概略横断面図である。但し、説明の簡明のため、時計ケース１０内の時計モジュール２０や文字板２１等を除いて示している。
【００５５】
同図によれば、アンテナ装置３０Ａは、時計ケース１０の内部において１２時寄りの位置に、時計ケース１０の内壁に沿って配置されている。詳細には、アンテナ装置３０Ａは、コアケース３４を構成するケース本体３５が文字板２１と対向し、ケース蓋３６が裏蓋１４と対向するように配置されている。つまり、アモルファス薄膜３８は、文字板２１と対向、即ち時計ケース１０の上端開口部寄りの位置に配置されている。また、アモルファス薄膜３８は厚みが非常に薄い箔体であり、アンテナ装置３０Ａと文字板２１との間に這わすように配置される。つまり、時計ケース１０内に、アモルファス薄膜３８のために充分な配置空間を設ける必要はなく、他の部品の収納を妨げない。
【００５６】
図５は、腕時計１の内部構成を示すブロック図である。同図によれば、腕時計１は、ＣＰＵ１００と、入力部２００と、表示部３００と、ＲＯＭ４００と、ＲＡＭ５００と、受信制御回路部６００と、計時回路部７００と、発振回路部７２０とを備えて構成される。
【００５７】
ＣＰＵ１００は、所定のタイミング或いは入力部２００から入力された操作信号に応じてＲＯＭ４００に格納されたプログラムを読み出してＲＡＭ５００に展開し、該プログラムに基づいて腕時計１を構成する各部への指示やデータの転送等を行う。具体的には、例えば、所定時間毎に受信制御回路部６００を制御して標準電波の受信を行わせ、受信信号を基に計時回路部７００で計時される現在時刻データを修正する処理や、計時回路部７００によって計時された現在時刻を表示部３００に表示させる処理等を行う。
【００５８】
入力部２００は、腕時計１の各種機能の実行を指示するためのスイッチ１１を含み、このスイッチ１１が操作されると、対応する操作信号をＣＰＵ１００に出力する。表示部３００は、文字板２１や、ＣＰＵ１００によって制御されるアナログ指針機構等を含み、計時回路部７００によって計時された現在時刻を表示する。
【００５９】
ＲＯＭ４００は、腕時計１にかかるシステムプログラムやアプリケーションプログラム、本実施形態を実現するためのプログラムやデータ等を記憶する。ＲＡＭ５００は、ＣＰＵ１００の作業領域として用いられ、ＲＯＭ４００から読み出されたプログラムやデータ、ＣＰＵ１００で処理されたデータ等を一時的に記憶する。
【００６０】
受信制御回路部６００は、アンテナ装置３０Ａでの受信信号から不要な周波数成分をカットして所定の周波数信号を取り出し、この周波数信号を対応する電気信号に変換してＣＰＵ１００に出力する。計時回路部７００は、発振回路部７２０から入力される信号を計数して現在時刻を計時し、現在時刻データをＣＰＵ１００に出力する。発振回路部７２０は、常時一定周波数のクロック信号を出力する回路である。
【００６１】
このように、第１実施形態によれば、電波時計である腕時計１に内蔵されて標準電波を受信するアンテナ装置３０Ａは、コア３１を収納するコアケース３４の両端部にアモルファス薄膜３８が貼り付けられて構成されている。そして、標準電波による磁束がこのアモルファス薄膜３８に引き付けられることで、コア３１を通過する磁束が増加し、アンテナ装置３０Ａの受信感度の向上が実現される。また、このアンテナ装置３０Ａでは、コアケース３４の両端部３４a、３４aにアモルファス薄膜３８を貼り付けるといった簡易な構成により、受信感度の向上が実現される。尚、コアケース３４は合成樹脂製であるので、電波の受信を妨げない。また、アモルファス薄膜３８は、厚みが薄い箔状部材であるので、時計ケース１０内のきわめて小さな空間内にアモルファス薄膜３８を配置することができ、かつ、時計ケース１０内にアモルファス薄膜３８を配置した場合でも他部品の収納を妨げない。
【００６２】
尚、アモルファス薄膜３８は、コアケース３４の両端部３４a、３４a下面ではなく、コアケース３４の両端部上面や、両端部側面に貼り付けられることとしても良い。
【００６３】
［第１実施形態の変形例１］
図６（ａ）（ｂ）は、アモルファス薄膜３８がコアケース３４の両端部３４a、３４a下面に貼り付けられた場合を示す図である。同図（ａ）は、文字板２１側から見たアンテナ装置３０Ａの平面図であり、同図（ｂ）は、同図（ａ）のＶＩ−ＶＩ矢視断面図である。
同図によれば、アモルファス薄膜３８は、ケース蓋３６の両端部の下面３６a、３６aにそれぞれに貼り付けられている。そして、このアンテナ装置３０Ａは、時計ケース１０内において１２時寄りの位置に、ケース本体３５が文字板２１と対向し、ケース蓋３６が裏蓋１４と対向するように配置される。従って、アモルファス薄膜３８は、裏蓋１４と対向して配置されることになる。
【００６４】
［第１実施形態の変形例２］
また、図７（ａ）（ｂ）は、アモルファス薄膜３８がコアケース３４の両端部３４a、３４aに貼り付けられた他の例を示す図である。同図（ａ）は、文字板２１側から見たアンテナ装置３０Ａの平面図であり、同図（ｂ）は、同図（ａ）のＶＩＩ−ＶＩＩ矢視断面図である。
同図によれば、アモルファス薄膜３８は、ケース蓋３６の両端部の段違い部分３６ｂ、３６ｂにそれぞれに貼り付けられている。そして、このアンテナ装置３０Ａは、時計ケース１０内において１２時寄りの位置に、ケース本体３５が文字板２１と対向し、ケース蓋３６が裏蓋１４と対向するように配置される。従って、アモルファス薄膜３８は、裏蓋１４と対向して配置されることになる。
【００６５】
［第１実施形態の変形例３］
また、図８（ａ）（ｂ）は、アモルファス薄膜３８がコアケース３４の両端部３４a、３４a側面に貼り付けられた場合を示す図である。同図（ａ）は、文字板２１側から見たアンテナ装置３０Ａの平面図であり、同図（ｂ）は、同図（ａ）のＶＩＩＩ−ＶＩＩＩ矢視断面図である。
同図によれば、アモルファス薄膜３８は、コアケース３４の両端部３４a、３４a側面３６ｃ、３６ｃそれぞれに貼り付けられている。そして、このアンテナ装置３０Ａは、時計ケース１０内において１２時寄りの位置に、ケース本体３５が文字板２１と対向し、ケース蓋３６が裏蓋１４と対向するように配置される。従って、アモルファス薄膜３８は、時計ケース１０の内周面と対向して配置されることになる。
【００６６】
このように構成されるアンテナ装置３０Ａにおいて、コアケース３４の両端部３４a、３４aに貼り付けるアモルファス薄膜３８の位置及び枚数が異なるそれぞれの場合についての受信感度を測定した。その測定結果を図９に示す。かかる測定では、コアケース３４の両端部３４a、３４aそれぞれにアモルファス薄膜３８を貼り付けたアンテナ装置３０Ａを腕時計１に内蔵した。そして、所定距離だけ離れた位置に置いた送信機から標準電波に相当する電波を送信した場合のアンテナ装置３０Ａの受信電圧を測定した。
【００６７】
具体的には、
（Ａ）図７に示したように、ケース蓋３６の段違い部分（「中間」という）に１枚のアモルファス薄膜３８を貼り付けた場合
（Ｂ）中間に積層した３枚のアモルファス薄膜３８を貼り付けた場合、
（Ｃ）図６に示したように、ケース蓋３６の下面、即ち裏蓋１４との対向側（「裏蓋側」という）に１枚、中間に積層した３枚、図３に示したように、ケース本体３５の両端部上面、即ち文字板２１との対向側（「文字板側」という）に積層した３枚のアモルファス薄膜３８を貼り付けた場合、
（Ｄ）（Ｃ）に加えて、図８に示したように、コアケース３４の側面に積層した２枚のアモルファス薄膜３８を貼り付けた場合
の４つのパターンそれぞれについて受信電圧を測定した。また、比較のため、アモルファス薄膜３８を貼り付けない場合のアンテナ装置３０Ａの受信電圧を測定し、この場合の測定電圧に対するパターン（Ａ）〜（Ｄ）それぞれの上昇電圧を算出した。
【００６８】
同図によれば、４つのパターン（Ａ）〜（Ｄ）何れの場合も、アモルファス薄膜３８を貼り付けない場合と比較して受信電圧が上昇している。つまり、コアケース３４の両端部３４a、３４aにアモルファス薄膜３８を貼り付けることで、受信感度が向上するといえる。
【００６９】
パターン（Ａ）とパターン（Ｂ）とを比較すると、パターン（Ａ）よりパターン（Ｂ）のほうが受信電圧の上昇が大きい。つまり、貼り付けるアモルファス薄膜３８の枚数を増やすことで、受信感度が向上するといえる。
【００７０】
パターン（Ｂ）とパターン（Ｃ）とを比較すると、パターン（Ｂ）よりパターン（Ｃ）のほうが受信電圧の上昇が大きい。また、パターン（Ｃ）とパターン（Ｄ）とを比較すると、パターン（Ｃ）よりパターン（Ｄ）のほうが受信電圧の上昇が大きい。つまり、アモルファス薄膜３８を複数の位置に貼り付けることで、受信感度が向上するといえる。
このような実施形態のアンテナ装置によれば、コイル巻回部分は機器ケースの隅部に配置され、コイル非巻回部分は機器ケースの内周に沿って湾曲している。このアンテナ装置を備える電子機器にあっては、一般に、機器ケース内の中央部に電子機器の部品（例えば、腕時計の場合、モータ、電池、駆動部等）が集中する一方、機器ケース内の周辺部は比較的にデッドスペースが多い。従って、このような実施形態のアンテナ装置によれば、デッドスペースが効果的に利用でき、小型の機器ケースに簡単に設置することができる。また、磁性体のコイル非巻回部分に磁束が引き付けられ、磁性体のコイル巻回部分を通過する磁束が増大することから、アンテナの受信感度が向上する。また、機器ケース内の中央部に集中する多くの部品の組立てに支障が生ずることが少ない。
【００７１】
［第２実施形態］
次に、第２実施形態を説明する。尚、以下において、上述の第１実施形態と同一の構成要素については同一符号を付し、詳細な説明を省略する。上述した第１実施形態では、コアケース３４の両端部３４a、３４aそれぞれにアモルファス薄膜３８を貼り付けて設けることとしたが、第２実施形態では、コアケースに切り込みを設け、この切り込みにアモルファス薄膜を挿入して取り付ける構成とする。
【００７２】
図１０（ａ）（ｂ）は、第２実施形態におけるアンテナ装置３０Ｂを示す図である。同図（ａ）は、アンテナ装置３０Ｂの正面図であり、同図（ｂ）は、同図（ａ）のＸ−Ｘ矢視断面図である。
同図によれば、アンテナ装置３０Ｂは、磁性材料からなるコア３１と、コアケース４１と、コイル３７と、アモルファス薄膜３８ａ，３８ｂ，３８ｃとを備えて構成される。
【００７３】
コアケース４１は、合成樹脂で形成されており、ケース本体４２と、このケース本体４２に組み合うケース蓋４３とからなる。
【００７４】
ケース本体４２及びケース蓋４３は、互いに組み合った際に、内部に収納したコア３１とコアケース４１の両端部４１a、４１a内面との間に隙間４５ａ，４５ｂ，４５ｃができるように形成されている。即ち、ケース本体４２は、その両端部内面とコア３１の長尺片３３の両端部上面との間に隙間４５ａができるように形成され、ケース蓋４３は、その両端部内面とコア３１の長尺片３３及び短尺片３２それぞれの両端部下面との間に隙間４５ｂ，４５ｃができるように形成されている。
【００７５】
また、ケース本体４２の両端部側面には、コア３１の長尺片３３の両端部の当接部分の上方及び下方の位置それぞれに、幅方向に平行な２つの切り込み４４ａ，４４ｂが形成されている。この切り込み４４ａ，４４ｂの長さは、例えば０．１〜０．３ｍｍ程度であり、積層された複数枚のアモルファス薄膜３８が挿入できるようになっている。
【００７６】
そして、１枚或いは積層された複数枚のアモルファス薄膜３８ａが切り込み４４ａに挿入され、ケース本体４２の内面とコア３１の長尺片３３の端部上面との間の隙間４５ａにコア３１に接触して配置される。また、１枚或いは積層された複数枚のアモルファス薄膜３８ｂが切り込み４４ｂに挿入され、ケース蓋４３の内面とコア３１の長尺片３３の端部下面との間の隙間４５ｂにコア３１に接触して配置される。
【００７７】
ケース蓋４３の端部側面には、コア３１の短尺片３２の両端部との当接部分の下方の位置に、幅方向に平行な切り込み４４ｃが形成されている。この切り込み４４ｃの長さは、例えば０．１〜０．３ｍｍ程度であり、積層された複数枚のアモルファス薄膜３８が挿入できるようになっている。そして、１枚或いは積層された複数枚のアモルファス薄膜３８ｃが、切り込み４４ｃに挿入され、ケース蓋４３とコア３１の短尺片３２の端部下面との間の隙間４５ｃにコア３１に接触して配置される。
【００７８】
このように、第２実施形態によれば、腕時計１に内蔵されて標準電波を受信するアンテナ装置３０Ｂは、コア３１を収納するコアケース４１の両端部４１a、４１a側面に切り込み４４ａ，４４ｂ，４４ｃが形成されており、この切り込み４４ａ，４４ｂ，４４ｃにアモルファス薄膜３８が挿入されて取り付けられる。そして、標準電波による磁束がこのアモルファス薄膜３８に引き付けられることで、コア３１を通過する磁束が増加し、アンテナ装置３０Ｂの受信感度の向上が実現される。また、このアンテナ装置３０Ｂでは、コアケース４１の両端部４１a、４１a側面に形成された切り込み４４ａ，４４ｂ，４４ｃにアモルファス薄膜３８を挿入するといった簡易な構成により、受信感度の向上が実現される。尚、コアケース４１は合成樹脂製であるので、電波の受信を妨げない。また、アモルファス薄膜３８は、厚みが薄い箔状部材であるので、時計ケース１０内における他部品の収納を妨げない。
【００７９】
［第２実施形態の変形例］
尚、本発明を適用可能な実施形態は、上述の実施形態に限定されることなく、本発明の趣旨を逸脱しない範囲で適宜変更可能なのは勿論である。
【００８０】
（Ａ）コアケースを備えない
上述した実施形態では、アンテナ装置は、コアを収納するコアケースを備えることとしたが、このコアケースを備えないこととしても良い。
【００８１】
図１１（ａ）（ｂ）は、コアケースを備えないアンテナ装置３０Ｃの断面図である。
同図によれば、アンテナ装置３０Ｃは、表面に絶縁処理を施したコア３１と、コイル３７と、アモルファス薄膜３８とを備えて構成される。コイル３７は、コア３１の中央部に銅等の導線が巻回されてなる。アモルファス薄膜３８は、コア３１の両端部３１a、３１aそれぞれに、コア３１を延伸する方向（コア３１の軸方向外側）に向けて、接着等により貼り付けられている。同図（ａ）は、アモルファス薄膜３８が、コア３１の長尺片３３の両端部３１a、３１a下面に貼り付けられている場合を示し、同図（ｂ）は、アモルファス薄膜３８が、コア３１の短尺片３２の両端部３１a、３１a上面に貼り付けられている場合を示している。そして、このアンテナ装置３０Ｃは、時計ケース１０内において１２時寄りの位置に、長尺片３３が文字板２１と対向し、短尺片３２が裏蓋１４と対向するように配置される。
【００８２】
（Ｂ）バルク状のコア
また、上述した実施形態では、コア３１は、アモルファス金属の薄板が複数枚積層されてなる積層コアであることとしたが、アモルファス金属を材料として形成されたバルク状であることとしても良い。ここで、バルク状とは、鋳型や金型を利用して作る固体の形状を意味している。
【００８３】
［第３実施形態］
図１２（ａ）は時計ケース内に設置されたアンテナ装置の平面図、同図（ｂ）はそのアンテナ装置の左側面図、同図（ｃ）はアンテナ装置の正面図である。尚、以下において、上述の第１実施形態と同一の構成要素については同一符号を付し、その同一の構成要素についての詳細な説明は適宜に省略する。
【００８４】
この第３実施形態が第１実施形態と異なる点について説明すれば、第１実施形態のアンテナ装置３０Ａではコアケース３４を備えるのに対して、第３実施形態のアンテナ装置３０Ｃではコアケース３４を備えていない点と、第１実施形態ではコア３１の両端部３１a、３１aの各々にアモルファス薄膜３８が貼り付けられているのに対して、第３実施形態では、アモルファス薄膜３８を設けずに、コア３１を構成するアモルファス金属の薄板を延設させた構成となっている点である。
【００８５】
即ち、この第３実施形態のコア３１は、第１実施形態のコア３１と同様に、アモルファス金属からなる磁性材料の薄板を複数枚積層してなる積層コアとなっている。このコア３１は、図１２（ａ）に示すように、時計ケース１０の表面側から見てコイル突出部が時計ケース１０の内周に沿って延在するように根元側から先端側に向けて弧状に湾曲している。また、コア３１は、図１２（ｂ）に示すように、コイル突出部の先端部３１ｂ、３１ｂが文字板２１の裏面に向けて接近するように曲げられている。ここで、コア３１の両端部３１ｂ、３１ｂは、先端側に向けて薄板の積層枚数が徐々に少なくなるように階段状に積層されて構成されている。図１２（ｂ）には、先端側に向けて薄板の積層枚数を１枚ずつ単位で低減させている例が示されている。しかし、コア３１が多数の薄板から構成されている場合や、コア３１の強度が問題となる場合には、複数枚ずつ単位で薄板の積層枚数を低減させても良いことは勿論である。
なお、この第３実施形態のコア３１のコイル突出部の先端部３１ｂ、３１ｂは文字板２１の裏面に接着されていても良い。
【００８６】
この第３実施形態によれば、コア突出部が時計ケース１０の内周に沿うように湾曲して形成されているので、時計ケース１０内において、比較的にデッドスペースがある時計ケース１０の周辺部にコア３１の先端部を延設することができる。従って、限られた実装スペースの中で、磁性体の長さと表面積を増やすことができ、コイル３１内の磁束を増大させることができることから、アンテナ装置の受信感度が向上する。一方で、モータ等の時計部品が時計ケース１０の中央に集中して設けられる時計部品の組立ての支障となることが少ない。
また、この第３実施形態によれば、コイル突出部の先端部が文字板２１の裏面に向けて接近するように曲げられ、かつ、コイル非巻回部分の先端部の厚さが根元部の厚さよりも小さくなっているとともに、文字板２１側から見て先端部が先細りとなっているので、時計部品の組み込みに支障を生じることが少ない。
なお、標準電波送信所から送信された電波の磁束部分の大部分は、文字板２１側から時計ケース１０や裏蓋１４を回り込むようにアンテナ磁性体へと入ることが予想される。従って、この点でも、コイル突出部の先端部が文字板２１の裏面に向けて接近するように曲げられている第３実施形態によれば、受信感度の向上が望めることとなる。
【００８７】
［第４実施形態］
図１３は時計ケース内に設置されたアンテナ装置の平面図である。尚、以下において、上述の第１実施形態と同一の構成要素については同一符号を付し、その同一構成要素についての詳細な説明は適宜に省略する。
【００８８】
この第４実施形態が第３実施形態と異なる点は、第３実施形態ではアンテナ装置３０Ｃの磁性体が一体型に構成されているのに対して、第４実施形態ではアンテナ装置３０Ｄの磁性体の両側先端部が外部磁性体３８Ｃで形成されている点である。
【００８９】
即ち、この第４実施形態では、アンテナ装置を構成する磁性体は、コイル３０を巻回し両端が弧状に湾曲するコア３１と、コア３１の両端部３１a、３１aの各々に磁気的に連結される外部磁性体３８Ｃとから構成されている。このうちコア３１は、第３実施形態と同様に、アモルファス金属からなる磁性材料の薄板を複数枚積層してなる積層コアとなっている。そして、外部磁性体３８Ｃは薄膜状磁性体から構成されている。ここで、「薄膜状磁性体」は、コア３１を構成する薄板、箔体、又は、磁性粉を文字板２１の裏面に塗着したものであっても良い。このうち、箔体としては、例えば第１実施形態と同様のアモルファス薄膜が挙げられる。
この薄膜状磁性体は、薄板又は箔体である場合には、時計部品を時計ケース１０に組み込んだ後に、磁性接着剤、又は磁性粉末を有機溶剤に混ぜた接着剤によってコア３１の両端部３１a、３１aにそれぞれ接着される。或いは、薄膜状磁性体は、文字板２１の裏面に予め付着させておいても良い。
この第４実施形態はその他の点では第３実施形態と同様に構成されている。
【００９０】
この第４実施形態によれば、磁性体がコイル３０を巻回し両端が弧状に湾曲するコア３１と、コア３１の両端部の各々に磁気的に連結される外部磁性体３８Ｄとから構成されているので、限られた実装スペースの中で、磁性体の長さと表面積を増やすことができ、コイル３１内の磁束を増大させることができることから、アンテナ装置３０Ｄの受信感度が向上する。
また、第４実施形態によれば、磁性体がコア３１と外部磁性体３８Ｄから構成され、コア３１と外部磁性体３８Ｄが接着されるので、時計部品を時計ケース１０に組み込んだ後に、外部磁性体３８Ｄをコア３１の両端部に接着できることから、部品組み立て工程上、磁性体の両端部が邪魔となることもない。
【００９１】
［第５実施形態］
図１４は時計ケース内に設置されたアンテナ装置の左側面図である。尚、以下において、上述の第１実施形態と同一の構成要素については同一符号を付し、詳細な説明を省略する。
【００９２】
この第５実施形態が第４実施形態と異なる点は、第４実施形態ではアンテナ装置３０Ｄの磁性体がコア３１と、コア３１の両端部の各々に磁気的に連結される各１つの外部磁性体３８Ｃとで構成されているのに対して、第５実施形態ではアンテナ装置３０Ｅのコア３１の両端部の各々に磁気的に連結される各外部磁性体３８Ｅが２つの磁性体で構成されている点である。
【００９３】
即ち、この第５実施形態では、アンテナ装置を構成する磁性体は、コイル３０を巻回し両端が弧状に湾曲するコア３１と、磁性スペーサ３８Ｅ−１と、文字板２１の裏面に接着された薄膜状磁性体３８Ｅ−２とで構成されている。
このうちコア３１は、第３実施形態と同様に、アモルファス金属からなる磁性材料の薄板を複数枚積層してなる積層コアとなっている。また、磁性スペーサ３８Ｅ−１は積層アモルファス金属等の厚みを持った磁性体から構成されている。勿論、フェライトやパーマロイ等の磁性体で形成されていても良い。また、薄膜状磁性体３８Ｅ−２は、コア３１を構成する薄板、箔体、又は、磁性粉を文字板２１の裏面に塗着したもので構成されている。ここで、箔体としては、例えば第１実施形態と同様のアモルファス薄膜が挙げられる。
なお、磁性スペーサ３８Ｅ−１は、コア３１又は薄膜状磁性体３８Ｅ−２の少なくとも一方に接着されている。そして、磁性スペーサ３８Ｅ−１がコア３１又は薄膜状磁性体３８Ｅ−２の一方にのみ接着される場合には、コア３１と文字板２１との間で機械的に圧力をかけてコア３１又は薄膜状磁性体３８Ｅ−２の他方に接触させる。
この第５実施形態はその他の点では第４実施形態と同様に構成されている。
【００９４】
この第５実施形態は、コア３１と薄膜状磁性体３８Ｅ−２との間に大きな隙間がある場合に、有効である。また、文字板２１の裏面に薄膜状磁性体３８Ｅ−２を接着しているので、その分、コア３１の長さを短くでき、そのため、部品組み立て工程上、磁性体の両端部が邪魔となることもない。
【００９５】
以上、本発明の実施形態及びその変形例について説明したが、本発明は、かかる実施形態及びその変形例に限定されるものではなく、その要旨を逸脱しない範囲で種々の変形が可能であることはいうまでもない。
【００９６】
例えば、時計ケース１０内には、腕時計の各種機能の実行を指示するためのスイッチ１１の近くにスイッチ部品が配置されることになるが、そのスイッチ部品と干渉しないように、磁性体の一部を切り欠いてもよい。
【図面の簡単な説明】
【００９７】
【図１】本発明の第１実施形態における腕時計の平面図。
【図２】本発明の第１実施形態における腕時計のＩＩ−ＩＩ矢視断面図。
【図３】（ａ）は、本発明の第１実施形態におけるアンテナ装置の平面図。（ｂ）は、（ａ）のＩＩＩ−ＩＩＩ矢視断面図。
【図４】本発明の第１実施形態において、時計ケース内部に配置されるアンテナ装置を示す図。
【図５】本発明の第１実施形態における腕時計の内部構成を示すブロック図。
【図６】（ａ）は、本発明の第１実施形態の変形例におけるアンテナ装置の平面図。（ｂ）は、（ａ）のＶＩ−ＶＩ矢視断面図。
【図７】（ａ）は、本発明の第１実施形態の変形例におけるアンテナ装置の平面図。（ｂ）は、（ａ）のＶＩＩ−ＶＩＩ矢視断面図。
【図８】（ａ）は、本発明の第１実施形態の変形例におけるアンテナ装置の平面図。（ｂ）は、（ａ）のＶＩＩＩ−ＶＩＩＩ矢視断面図。
【図９】本発明の第１実施形態においてアモルファス薄膜を貼り付ける位置及び枚数を変えた場合のアンテナ装置の受信感度の測定結果を示す図。
【図１０】（ａ）は、本発明の第２実施形態におけるアンテナ装置の平面図。（ｂ）は、（ａ）のＸ−Ｘ矢視断面図。
【図１１】（ａ）は、本発明の第２実施形態の変形例において、アモルファス薄膜がコアの長尺片の両端部下面に貼られたアンテナ装置の断面図。（ｂ）は、本発明の第２実施形態の変形例において、アモルファス薄膜がコアの短尺片の両端部上面に貼られたアンテナ装置の断面図。
【図１２】（ａ）は、第３実施形態において、時計ケース内に設置されたアンテナ装置の平面図、（ｂ）はそのアンテナ装置の左側面図、同図（ｃ）はアンテナ装置の正面図。
【図１３】第４実施形態において、時計ケース内に設置されたアンテナ装置の平面図。
【図１４】第５実施形態において、時計ケース内に設置されたアンテナ装置の左側面図。
【符号の説明】
【００９８】
１  腕時計
１０  時計ケース
３０Ａ，３０Ｂ，３０Ｃ，３０Ｄ，３０Ｅ  アンテナ装置
３１  コア
３４，４１  コアケース
３７  コイル
３８  アモルファス薄膜
【図１】
0004415195.tif 000002
【図２】
0004415195.tif 000003
【図３】
0004415195.tif 000004
【図４】
0004415195.tif 000005
【図５】
0004415195.tif 000006
【図６】
0004415195.tif 000007
【図７】
0004415195.tif 000008
【図８】
0004415195.tif 000009
【図９】
0004415195.tif 000010
【図１０】
0004415195.tif 000011
【図１１】
0004415195.tif 000012
【図１２】
0004415195.tif 000013
【図１３】
0004415195.tif 000014
【図１４】
0004415195.tif 000015